(57)【要約】【課題】自動車内のユーザが車載情報端末装置等を介して種々のサービスを受けようとする場合、サービスに応じて種々のカードを抜挿する必要のない車載情報処理装置等を提供する。【解決手段】複数のカード読取装置１２等に予めＩＣカードを挿入しておく。カード読取装置選択部２６により選択された複数のカード読取装置１２等に挿入されたＩＣカードから順次ＩＤを読取り、読取られたＩＤを順次アンテナ７を介して外部へ送信する。カード読取装置１２等の選択はドライバ１または他の搭乗者２等が支払ボタン１７を押下するという意思表示に基づいて行なうこともできる。ＩＤが認証された後、上述の支払要求に対して複数枚のＩＣカードを用いた決済を行うことができる。【選択図】  図１
2005275598.tif 000002
【特許請求の範囲】
【請求項１】
車内に設置された複数のカード読取装置と接続された車載情報処理装置であって、複数の該カード読取装置には各々カードがセットされており、
外部と通信可能なアンテナを介して支払要求を受信する支払要求受信手段と、
前記支払要求受信手段により受信された支払要求について支払に使用可能なカード枚数が複数枚か否かを判断するカード枚数判断手段と、
前記カード枚数判断手段により支払に使用可能なカード枚数が複数枚であると判断された場合、複数のカード読取装置を選択するカード読取装置選択手段と、
前記カード読取装置選択手段により選択された複数のカード読取装置にセットされたカードから順次識別子を読取り、読取られた識別子を順次前記アンテナを介して外部へ送信する識別子処理手段とを備えたことを特徴とする車載情報処理装置。
【請求項２】
請求項１記載の車載情報処理装置において、前記カード読取装置選択手段は、
前記カード枚数判断手段により支払に使用可能なカード枚数が複数枚であると判断された場合、該車載情報処理装置と接続され複数のカード読取装置を選択可能な選択装置を用いてカード読取装置を選択することを特徴とする車載情報処理装置。
【請求項３】
請求項１記載の車載情報処理装置において、前記カード読取装置選択手段は、
前記カード枚数判断手段により支払に使用可能なカード枚数が複数枚であると判断された場合、前記複数のカード読取装置の各々に備えられた所定の表示器の点滅又は点灯を開始させる表示器点滅開始手段と、
前記表示器点滅開始手段により所定の表示器の点滅又は点灯を開始させた後、前記複数のカード読取装置の各々に備えられた所定の入力器からの入力があった場合、該入力が行なわれた所定の入力器を備えたカード読取装置を選択する選択手段と、
前記表示器点滅開始手段により点滅又は点灯を開始された前記複数のカード読取装置の各所定の表示器の点滅又は点灯を終了させる表示器点滅終了手段とを備えたことを特徴とする車載情報処理装置。
【請求項４】
請求項１または２記載の車載情報処理装置において、前記カード読取装置選択手段により選択された複数のカード読取装置と選択されなかったカード読取装置とを識別可能に該車載情報処理装置に接続された選択装置に表示するカード読取装置表示手段をさらに備えたことを特徴とする車載情報処理装置。
【請求項５】
請求項１記載の車載情報処理装置において、前記カード枚数判断手段により支払に使用可能なカード枚数が複数枚ではないと判断された場合、所定のカード読取装置にセットされたカードから識別子を読取り、読取られた識別子を前記アンテナを介して外部へ送信することを特徴とする車載情報処理装置。
【請求項６】
請求項１ないし５のいずれかに記載の車載情報処理装置において、前記カード読取装置は識別子が読取られている状態であることを表示する読取り表示器を備えたことを特徴とする車載情報処理装置。
【請求項７】
請求項１ないし６のいずれかに記載の車載情報処理装置において、前記支払要求受信手段により受信した支払要求は、既に提供されたサービスに対する事後の決済要求又は提供されるサービスに対する事前の決済要求であることを特徴とする車載情報処理装置。
【請求項８】
車内に設置された複数のカード読取装置が接続された車載情報処理装置を用いた車載情報処理方法であって、複数の該カード読取装置には各々カードがセットされており、該車載情報処理装置のコンピュータが、
外部と通信可能なアンテナを介して支払要求を受信する支払要求受信ステップと、
前記支払要求受信ステップで受信された支払要求について支払に使用可能なカード枚数が複数枚か否かを判断するカード枚数判断ステップと、
前記カード枚数判断ステップで支払に使用可能なカード枚数が複数枚であると判断された場合、複数のカード読取装置を選択するカード読取装置選択ステップと、
前記カード読取装置選択ステップで選択された複数のカード読取装置にセットされたカードから順次識別子を読取り、読取られた識別子を順次前記アンテナを介して外部へ送信する識別子処理ステップとを備えたことを特徴とする車載情報処理方法。
【請求項９】
請求項８記載の車載情報処理方法において、前記カード読取装置選択ステップは、
前記カード枚数判断ステップで支払に使用可能なカード枚数が複数枚であると判断された場合、該車載情報処理装置と接続され複数のカード読取装置を選択可能な選択装置を用いてカード読取装置を選択することを特徴とする車載情報処理方法。
【請求項１０】
請求項８記載の車載情報処理方法において、前記カード読取装置選択ステップは、
前記カード枚数判断ステップで支払に使用可能なカード枚数が複数枚であると判断された場合、前記複数のカード読取装置の各々に備えられた所定の表示器の点滅又は点灯を開始させる表示器点滅開始ステップと、
前記表示器点滅開始ステップで所定の表示器の点滅又は点灯を開始させた後、前記複数のカード読取装置の各々に備えられた所定の入力器からの入力があった場合、該入力が行なわれた所定の入力器を備えたカード読取装置を選択する選択ステップと、
前記表示器点滅開始ステップで点滅又は点灯を開始された前記複数のカード読取装置の各所定の表示器の点滅又は点灯を終了させる表示器点滅終了ステップとを備えたことを特徴とする車載情報処理方法。
【請求項１１】
請求項８または９記載の車載情報処理方法において、前記カード読取装置選択ステップの後に、該カード読取装置選択ステップで選択された複数のカード読取装置と選択されなかったカード読取装置とを識別可能に該車載情報処理装置に接続された選択装置に表示するカード読取装置表示ステップをさらに備えたことを特徴とする車載情報処理方法。
【請求項１２】
請求項８記載の車載情報処理方法において、
前記カード枚数判断ステップで支払に使用可能なカード枚数が複数枚ではないと判断された場合、所定のカード読取装置にセットされたカードから識別子を読取り、読取られた識別子を前記アンテナを介して外部へ送信することを特徴とする車載情報処理方法。
【請求項１３】
請求項８ないし１２のいずれかに記載の車載情報処理方法において、前記カード読取装置は識別子が読取られている状態であることを表示する読取り表示器を備えたことを特徴とする車載情報処理方法。
【請求項１４】
請求項８ないし１３のいずれかに記載の車載情報処理方法において、前記支払要求受信ステップにより受信した支払要求は、既に提供されたサービスに対する事後の決済要求又は提供されるサービスに対する事前の決済要求であることを特徴とする車載情報処理方法。
【請求項１５】
車内に設置された複数のカード読取装置が接続された車載情報処理装置を用いて車載情報処理を行うためのプログラムであって、複数の該カード読取装置には各々カードがセットされており、該車載情報処理装置のコンピュータを、
外部と通信可能なアンテナを介して支払要求を受信する支払要求受信手段、
前記支払要求受信手段により受信された支払要求について支払に使用可能なカード枚数が複数枚か否かを判断するカード枚数判断手段、
前記カード枚数判断手段により支払に使用可能なカード枚数が複数枚であると判断された場合、複数のカード読取装置を選択するカード読取装置選択手段、
前記カード読取装置選択手段により選択された複数のカード読取装置にセットされたカードから順次識別子を読取り、読取られた識別子を順次前記アンテナを介して外部へ送信する識別子処理手段として機能させるためのプログラム。
【請求項１６】
請求項１５記載のプログラムにおいて、前記カード読取装置選択手段は、
前記カード枚数判断手段により支払に使用可能なカード枚数が複数枚であると判断された場合、該車載情報処理装置と接続され複数のカード読取装置を選択可能な選択装置を用いてカード読取装置を選択することを特徴とするプログラム。
【請求項１７】
請求項１５記載のプログラムにおいて、前記カード読取装置選択手段は、
前記カード枚数判断手段により支払に使用可能なカード枚数が複数枚であると判断された場合、前記複数のカード読取装置の各々に備えられた所定の表示器の点滅又は点灯を開始させる表示器点滅開始手段と、
前記表示器点滅開始手段により所定の表示器の点滅又は点灯を開始させた後、前記複数のカード読取装置の各々に備えられた所定の入力器からの入力があった場合、該入力が行なわれた所定の入力器を備えたカード読取装置を選択する選択手段と、
前記表示器点滅開始手段により点滅又は点灯を開始された前記複数のカード読取装置の各所定の表示器の点滅又は点灯を終了させる表示器点滅終了手段とを備えたことを特徴とするプログラム。
【請求項１８】
請求項１５または１６記載のプログラムにおいて、前記カード読取装置選択手段により選択された複数のカード読取装置と選択されなかったカード読取装置とを識別可能に該車載情報処理装置に接続された選択装置に表示するカード読取装置表示手段をさらに備えたことを特徴とするプログラム。
【請求項１９】
請求項１５記載のプログラムにおいて、前記カード枚数判断手段により支払に使用可能なカード枚数が複数枚ではないと判断された場合、所定のカード読取装置にセットされたカードから識別子を読取り、読取られた識別子を前記アンテナを介して外部へ送信することを特徴とするプログラム。
【請求項２０】
請求項１５ないし１９のいずれかに記載のプログラムにおいて、前記カード読取装置は識別子が読取られている状態であることを表示する読取り表示器を備えたことを特徴とするプログラム。
【請求項２１】
請求項１５ないし２０のいずれかに記載のプログラムにおいて、前記支払要求受信手段により受信した支払要求は、既に提供されたサービスに対する事後の決済要求又は提供されるサービスに対する事前の決済要求であることを特徴とするプログラム。
【請求項２２】
請求項１５ないし２１のいずれかに記載のプログラムを記録したコンピュータ読取り可能な記録媒体。
【発明の詳細な説明】
【技術分野】
【０００１】
本発明は、カード読取装置と接続された車載情報処理装置等に関し、特に、自動車等の車内に設置された複数のカード読取装置と接続された車載情報処理装置等に関する。
【背景技術】
【０００２】
従来、非特許文献１に記載されているように、高速道路等を通行する際の通行料金収受をノンストップで行うためにＥＴＣ（Electronic Toll Collection）システムが用いられている。このＥＴＣを利用するため、車載情報機器等に接続されたカード読取装置に通行料金決済用のＩＣカードが挿入されている。
【非特許文献１】新居宏壬、鷲野翔一編著、「ナビゲーションシステム」、第１３９頁−第１４０頁、２００１年７月３１日初版発行、株式会社山海堂。
【発明の開示】
【発明が解決しようとする課題】
【０００３】
一方、近年、種々のサービスが車載情報処理装置等を介して自動車内のユーザへ提供されるようになってきている。これらのサービスを受けるためには、上述の通行料金決済用のＩＣカードではなく各々別のＩＣカードが用いられている。このため、自動車内のユーザが上述の種々のサービスを受けようとする場合、まず以前にカード読取装置に挿入されたカードを抜き出した後、改めて各サービスに応じた別のカードをカード読取装置に挿入し直す必要があった。しかし、自動車内のユーザが上述の種々のサービスを受けようとする度にカード読取装置に対してカードの抜挿を行うことは、極めて煩雑であるという問題があった。
【０００４】
そこで、本発明の目的は、上記問題を解決するためになされたものであり、自動車内のユーザが車載情報端末装置等を介して種々のサービスを受けようとする場合、サービスに応じて種々のカードを抜挿する必要のない車載情報処理装置等を提供することにある。
【課題を解決するための手段】
【０００５】
この発明の車載情報処理装置は、車内に設置された複数のカード読取装置と接続された車載情報処理装置であって、複数の該カード読取装置には各々カードがセットされており、外部と通信可能なアンテナを介して支払要求を受信する支払要求受信手段と、前記支払要求受信手段により受信された支払要求について支払に使用可能なカード枚数が複数枚か否かを判断するカード枚数判断手段と、前記カード枚数判断手段により支払に使用可能なカード枚数が複数枚であると判断された場合、複数のカード読取装置を選択するカード読取装置選択手段と、前記カード読取装置選択手段により選択された複数のカード読取装置にセットされたカードから順次識別子を読取り、読取られた識別子を順次前記アンテナを介して外部へ送信する識別子処理手段とを備えたことを特徴とする。
【０００６】
ここで、この発明の車載情報処理装置において、前記カード読取装置選択手段は、前記カード枚数判断手段により支払に使用可能なカード枚数が複数枚であると判断された場合、該車載情報処理装置と接続され複数のカード読取装置を選択可能な選択装置を用いてカード読取装置を選択することができる。
【０００７】
ここで、この発明の車載情報処理装置において、前記カード読取装置選択手段は、前記カード枚数判断手段により支払に使用可能なカード枚数が複数枚であると判断された場合、前記複数のカード読取装置の各々に備えられた所定の表示器の点滅又は点灯を開始させる表示器点滅開始手段と、前記表示器点滅開始手段により所定の表示器の点滅又は点灯を開始させた後、前記複数のカード読取装置の各々に備えられた所定の入力器からの入力があった場合、該入力が行なわれた所定の入力器を備えたカード読取装置を選択する選択手段と、前記表示器点滅開始手段により点滅又は点灯を開始された前記複数のカード読取装置の各所定の表示器の点滅又は点灯を終了させる表示器点滅終了手段とを備えることができる。
【０００８】
ここで、この発明の車載情報処理装置において、前記カード読取装置選択手段により選択された複数のカード読取装置と選択されなかったカード読取装置とを識別可能に該車載情報処理装置に接続された選択装置に表示するカード読取装置表示手段をさらに備えることができる。
【０００９】
ここで、この発明の車載情報処理装置において、前記カード枚数判断手段により支払に使用可能なカード枚数が複数枚ではないと判断された場合、所定のカード読取装置にセットされたカードから識別子を読取り、読取られた識別子を前記アンテナを介して外部へ送信することができる。
【００１０】
ここで、この発明の車載情報処理装置において、前記カード読取装置は識別子が読取られている状態であることを表示する読取り表示器を備えることができる。
【００１１】
ここで、この発明の車載情報処理装置において、前記支払要求受信手段により受信した支払要求は、既に提供されたサービスに対する事後の決済要求又は提供されるサービスに対する事前の決済要求であるものとすることができる。
【００１２】
この発明の車載情報処理方法は、車内に設置された複数のカード読取装置が接続された車載情報処理装置を用いた車載情報処理方法であって、複数の該カード読取装置には各々カードがセットされており、該車載情報処理装置のコンピュータが、外部と通信可能なアンテナを介して支払要求を受信する支払要求受信ステップと、前記支払要求受信ステップで受信された支払要求について支払に使用可能なカード枚数が複数枚か否かを判断するカード枚数判断ステップと、前記カード枚数判断ステップで支払に使用可能なカード枚数が複数枚であると判断された場合、複数のカード読取装置を選択するカード読取装置選択ステップと、前記カード読取装置選択ステップで選択された複数のカード読取装置にセットされたカードから順次識別子を読取り、読取られた識別子を順次前記アンテナを介して外部へ送信する識別子処理ステップとを備えたことを特徴とする。
【００１３】
ここで、この発明の車載情報処理方法において、前記カード読取装置選択ステップは、前記カード枚数判断ステップで支払に使用可能なカード枚数が複数枚であると判断された場合、該車載情報処理装置と接続され複数のカード読取装置を選択可能な選択装置を用いてカード読取装置を選択することができる。
【００１４】
ここで、この発明の車載情報処理方法において、前記カード読取装置選択ステップは、前記カード枚数判断ステップで支払に使用可能なカード枚数が複数枚であると判断された場合、前記複数のカード読取装置の各々に備えられた所定の表示器の点滅又は点灯を開始させる表示器点滅開始ステップと、前記表示器点滅開始ステップで所定の表示器の点滅又は点灯を開始させた後、前記複数のカード読取装置の各々に備えられた所定の入力器からの入力があった場合、該入力が行なわれた所定の入力器を備えたカード読取装置を選択する選択ステップと、前記表示器点滅開始ステップで点滅又は点灯を開始された前記複数のカード読取装置の各所定の表示器の点滅又は点灯を終了させる表示器点滅終了ステップとを備えることができる。
【００１５】
ここで、この発明の車載情報処理方法において、前記カード読取装置選択ステップの後に、該カード読取装置選択ステップで選択された複数のカード読取装置と選択されなかったカード読取装置とを識別可能に該車載情報処理装置に接続された選択装置に表示するカード読取装置表示ステップをさらに備えることができる。
【００１６】
ここで、この発明の車載情報処理方法において、前記カード枚数判断ステップで支払に使用可能なカード枚数が複数枚ではないと判断された場合、所定のカード読取装置にセットされたカードから識別子を読取り、読取られた識別子を前記アンテナを介して外部へ送信することができる。
【００１７】
ここで、この発明の車載情報処理方法において、前記カード読取装置は識別子が読取られている状態であることを表示する読取り表示器を備えることができる。
【００１８】
ここで、この発明の車載情報処理方法において、前記支払要求受信ステップにより受信した支払要求は、既に提供されたサービスに対する事後の決済要求又は提供されるサービスに対する事前の決済要求であるものとすることができる。
【００１９】
この発明のプログラムは、路車内に設置された複数のカード読取装置が接続された車載情報処理装置を用いて車載情報処理を行うためのプログラムであって、複数の該カード読取装置には各々カードがセットされており、該車載情報処理装置のコンピュータを、外部と通信可能なアンテナを介して支払要求を受信する支払要求受信手段、前記支払要求受信手段により受信された支払要求について支払に使用可能なカード枚数が複数枚か否かを判断するカード枚数判断手段、前記カード枚数判断手段により支払に使用可能なカード枚数が複数枚であると判断された場合、複数のカード読取装置を選択するカード読取装置選択手段、前記カード読取装置選択手段により選択された複数のカード読取装置にセットされたカードから順次識別子を読取り、読取られた識別子を順次前記アンテナを介して外部へ送信する識別子処理手段として機能させるためのプログラムである。
【００２０】
ここで、この発明のプログラムにおいて、前記カード読取装置選択手段は、前記カード枚数判断手段により支払に使用可能なカード枚数が複数枚であると判断された場合、該車載情報処理装置と接続され複数のカード読取装置を選択可能な選択装置を用いてカード読取装置を選択することができる。
【００２１】
ここで、この発明のプログラムにおいて、前記カード読取装置選択手段は、前記カード枚数判断手段により支払に使用可能なカード枚数が複数枚であると判断された場合、前記複数のカード読取装置の各々に備えられた所定の表示器の点滅又は点灯を開始させる表示器点滅開始手段と、前記表示器点滅開始手段により所定の表示器の点滅又は点灯を開始させた後、前記複数のカード読取装置の各々に備えられた所定の入力器からの入力があった場合、該入力が行なわれた所定の入力器を備えたカード読取装置を選択する選択手段と、前記表示器点滅開始手段により点滅又は点灯を開始された前記複数のカード読取装置の各所定の表示器の点滅又は点灯を終了させる表示器点滅終了手段とを備えることができる。
【００２２】
ここで、この発明のプログラムにおいて、前記カード読取装置選択手段により選択された複数のカード読取装置と選択されなかったカード読取装置とを識別可能に該車載情報処理装置に接続された選択装置に表示するカード読取装置表示手段をさらに備えることができる。
【００２３】
ここで、この発明のプログラムにおいて、前記カード枚数判断手段により支払に使用可能なカード枚数が複数枚ではないと判断された場合、所定のカード読取装置にセットされたカードから識別子を読取り、読取られた識別子を前記アンテナを介して外部へ送信することができる。
【００２４】
ここで、この発明のプログラムにおいて、前記カード読取装置は識別子が読取られている状態であることを表示する読取り表示器を備えることができる。
【００２５】
ここで、この発明のプログラムにおいて、前記支払要求受信手段により受信した支払要求は、既に提供されたサービスに対する事後の決済要求又は提供されるサービスに対する事前の決済要求であるものとすることができる。
【００２６】
この発明の記録媒体は、本発明のいずれかのプログラムを記録したコンピュータ読取り可能な記録媒体である。
【発明の効果】
【００２７】
本発明の車載情報処理装置等によれば、選択された複数のカード読取装置に予めセットされたＩＣカードから順次ＩＤを読取り、読取られたＩＤを順次アンテナを介して外部へ送信することができる。各ＩＤが認証された後、上述の支払要求に対して複数枚のＩＣカードを用いた決済を行うことができる。従って、自動車内のドライバ等のユーザが車載情報端末装置を介して種々のサービスを受けようとする場合、サービスに応じて種々のＩＣカードを抜挿することなく、任意の搭乗者１、２または３のＩＣカードのＩＤで迅速にサービスを受けることができるという効果がある。
【発明を実施するための最良の形態】
【００２８】
以下、本発明の各実施例について図面を参照して詳細に説明する。
【実施例１】
【００２９】
図１は、本発明の実施例１における車載情報処理装置２０が自動車５に搭載された状態を示す。図１において、符号１は自動車５のドライバ、２は中部座席の搭乗者、３は後部座席の搭乗者、１０はドライバ１用に設置されたカード読取装置、１２は中部座席の搭乗者２用に設置されたカード読取装置、１４は後部座席の搭乗者３用に設置されたカード読取装置、２０はカード読取装置１０、１２および１４が接続された車載情報処理装置、７は車載情報処理装置２０と接続され外部と通信可能なアンテナ、３０は車載情報処理装置２０と接続され種々の情報を表示可能な選択装置である。図１では、カード読取装置１０等は３台のみ示されているが、これは図面の都合上のものであってカード読取装置等の数は３台以上であってもよい。カード読取装置１０等には予め各々ＩＣクレジットカードまたはＥＴＣカード等のＩＣカード（不図示）がセットされているものとする。
【００３０】
次に、車載情報処理装置２０の機能について説明する。図２は、車載情報処理装置２０の機能をブロック図で示す。図２において、符号２２は外部と通信可能なアンテナ７を介して支払要求を受信する支払要求受信部（支払要求受信手段）である。支払要求としては、例えば、ＥＴＣまたは専用狭域通信（Dedicated Short Range Communication : ＤＳＲＣ）を利用する場合における通行料金の支払要求、自動車５が駐車場を利用した場合における駐車料金の支払要求等、ドライブスルー等で商品を注文した場合における商品代金の支払要求等がある。以上の支払要求は、既に提供されたサービスに対する事後の決済要求であるが、他にも提供されるサービスに対する事前の決済要求であってもよい。例えば、車載情報処理装置２０を介してインターネットに無線ＬＡＮでアクセスし、電子クーポンの点数または音楽ダウンロード権等のコンテンツを利用する際に、事前にアカウントを入力して決済を行う場合等である。
【００３１】
続いて、符号２４は支払要求受信部２２により受信された支払要求について支払に使用可能なＩＣカードの枚数が１枚だけであるのか、あるいは複数枚使用可能であるのを判断するカード枚数判断部（カード枚数判断手段）である。上述のようにＥＴＣを利用する場合には、使用できるＩＣカードの枚数は１枚であると判断される。しかし、他のサービスを利用する場合には、一般的には複数枚のＩＣカードを支払に使用可能であると判断される。
【００３２】
符号２６は、カード枚数判断部２４により支払に使用可能なカード枚数が複数枚であると判断された場合、複数のカード読取装置１０、１２等を選択するカード読取装置選択部（選択カード読取装置選択手段）である。カード読取装置１０、１２等の選択は選択装置３０を用いて行なうことができる。図３は、本発明の実施例１における選択装置３０を示す。図３において、符号３１は選択装置３０のディスプレイ等の表示装置、３２はカード読取装置１０を示すアイコン等の表示、３４はカード読取装置１２を示すアイコン等の表示、３６はカード読取装置１４を示すアイコン等の表示、３５は選択可能なアイコン等の表示３４等を示すカーソル、３８はカーソル３５を左右へ移動させる移動ボタン、３９はカード読取装置１０、１２等を選択させるための選択ボタン（ＳＥＬＥＣＴ）である。ドライバ１は、選択装置３０の移動ボタン３８を押下してカーソル３５を適宜左右へ移動させ、カーソル３５が所望のカード読取装置１２等を示すアイコン等の表示３４等の位置にある場合に選択ボタン３９を押下することにより、カード読取装置１２等を選択することができる。図３では、カード読取装置１２を示すアイコン等の表示３４が選択された状態を示している。上述の選択を繰り返すことにより、複数のカード読取装置１２等を選択することができる。移動ボタン３８および選択ボタン３９を用いる替わりに、表示装置３１上のカード読取装置１２等を示すアイコン等の表示３４等を直接指で押下することにより選択することもできる。
【００３３】
図２へ戻り、符号２８は、カード読取装置選択部２６により選択された複数のカード読取装置１２等に予めセットされたＩＣカードから順次識別子（ＩＤ）を読取り、読取られたＩＤを順次アンテナ７を介して外部へ送信する識別子処理部（識別子処理手段）である。例えば、２台のカード読取装置１０および１２が選択された場合、識別子処理部２８はカード読取装置１０および１２に予め挿入されたＩＣカードから順次ＩＤを読取ってアンテナ７を介して外部へ送信する。各ＩＤが認証された後、上述の支払要求に対して２枚のカードを用いた決済を行うことができる。従って、自動車５内のドライバ１等のユーザが車載情報端末装置２０を介して種々のサービスを受けようとする場合、サービスに応じて種々のＩＣカードを抜挿することなく、任意の搭乗者１、２または３のＩＣカードのＩＤで迅速にサービスを受けることができる。
【００３４】
続いて、符号２９は、カード読取装置選択部２６により選択された複数のカード読取装置１２等と、選択されなかったカード読取装置１４等とを識別可能に車載情報処理装置２０に接続された選択装置３０の表示装置３１に表示するカード読取装置表示部（カード読取装置表示手段）である。図３では、カード読取装置１２を示すアイコン等の表示３４が選択された状態を、当該アイコン等の表示に網をかけることにより示されている。他の選択されなかったアイコン等の表示３２と識別するためであれば、当該アイコン等の表示の色彩を変えたり輝度を変えたりすることもできる。
【００３５】
図４は、本発明の実施例１におけるカード読取装置１０等を示す。図４において、符号１１はＩＣカードの挿入口、１３はカード読取装置１０等でＩＣカードからＩＤが読取られている状態であることを表示する読取り表示器（ＬＥＤ等のアクセスランプ）である。ＩＤが読取られている状態で読取り表示器１３を点灯させることにより、ドライバ１または他の搭乗者２等は、各自用に設置されたカード読取装置１０等のＩＣカードからＩＤが読取られている状態であることを知ることができる。
【００３６】
図５は、本発明の車載情報処理方法またはプログラムの動作をフローチャートで示す。図５に示されるように、車載情報処理装置２０のコンピュータは、まず外部と通信可能なアンテナ７を介して支払要求を受信する（支払要求受信ステップ。ステップＳ１０）。次に、支払要求受信ステップ（ステップＳ１０）で受信された支払要求について支払に使用可能なカード枚数が複数枚か否かを判断する（カード枚数判断ステップ。ステップＳ１２）。カード枚数判断ステップ（ステップＳ１２）で支払に使用可能なカード枚数が複数枚であると判断された場合、複数のカード読取装置１０等をドライバ１等に選択させる（カード読取装置選択ステップ。ステップＳ１４）。カード読取装置選択ステップ（ステップ１４）で選択された複数のカード読取装置１０等にセットされたＩＣカードから順次ＩＤを読取り、読取られたＩＤを順次アンテナ７を介して外部へ送信する（識別子処理ステップ。ステップＳ１８）。
【００３７】
上述のカード枚数判断ステップ（ステップＳ１２）で支払に使用可能なカード枚数が複数枚ではないと判断された場合、所定のカード読取装置、例えばＥＴＣ用のＩＣカードが挿入されたカード読取装置１０にセットされたＩＣカードからＩＤを読取り、読取られたＩＤをアンテナ７を介して外部へ送信することもできる（ステップＳ２０）。
【００３８】
以上より、本発明の実施例１によれば、カード読取装置選択部２６により選択された複数のカード読取装置１２等に予めセットされたＩＣカードから順次ＩＤを読取り、読取られたＩＤを順次アンテナ７を介して外部へ送信することができる。各ＩＤが認証された後、上述の支払要求に対して複数枚のＩＣカードを用いた決済を行うことができる。従って、自動車５内のドライバ１等のユーザが車載情報端末装置２０を介して種々のサービスを受けようとする場合、サービスに応じて種々のＩＣカードを抜挿することなく、任意の搭乗者１、２または３のＩＣカードのＩＤで迅速にサービスを受けることができる。上述の説明ではドライバ１用には１台のカード読取装置１０が設置されていたが、複数台のカード読取装置１０等を設置してもよい。ドライバ１が単独で運転している場合であっても、上述した本発明の実施例１により複数枚のＩＣカードを差し替えることなく、単に選択装置３０を用いることにより支払要求に応じるＩＣカードを選択することができる。このため、例えば出張等で、ＥＴＣまたは駐車場における支払要求のように会社側の経費で支払うことが可能な場合はあるＩＣカードを選択し、ファーストフードにおける支払要求のように個人側で支払う場合は別のＩＣカードを選択すること等が容易になる。
【実施例２】
【００３９】
上述の実施例１では、カード枚数判断部２４により支払に使用可能なカード枚数が複数枚であると判断された場合、カード読取装置選択部２６は選択装置３０を用いてカード読取装置１０、１２等の選択を行なった。本実施例２では、カード読取装置選択部２６が行なう他の選択方法等について説明する。その他の支払要求受信部２２等の機能は実施例１と同様であるため説明は省略する。
【００４０】
図６は、本発明の実施例２におけるカード読取装置選択部２６の機能をブロック図で示す。図６において、符号２１はカード枚数判断部２４により支払に使用可能なカード枚数が複数枚であると判断された場合、複数のカード読取装置１０、１２等の各々に備えられた所定の表示器１５（後述）の点滅または点灯を開始させる表示器点滅開始部（表示器点滅開始手段）である。図７は、本発明の実施例２におけるカード読取装置１０等を示す。図７で図４と同じ符号を付した箇所は同じ要素を示すため説明は省略する。図７において、符号１５は表示器点滅開始部２１により点滅または点灯を開始させることができる所定の表示器である。所定の表示器１５の点滅または点灯の開始によって、ドライバ１または他の搭乗者２等は、各自用に設置されたカード読取装置１０等のＩＣカードが支払要求に対して用いられる候補になっていることを知ることができる。符号１７は、ドライバ１または他の搭乗者２等が支払要求に応じる意思表示を行なう際に押下する支払ボタン（ＰＡＹ：所定の入力器）である。
【００４１】
図６に戻り、符号２３は表示器点滅開始部２１により所定の表示器１５の点滅または点灯を開始させた後、複数のカード読取装置１０等の各々に備えられた支払ボタン１７からの入力があった場合、この入力が行なわれた支払ボタン１７を備えたカード読取装置１０等を選択する選択部（選択手段）である。符号２５は、表示器点滅開始部２１により点滅又は点灯を開始された複数のカード読取装置１０等の各所定の表示器１５の点滅又は点灯を終了させる表示器点滅終了部（表示器点滅終了手段）である。以上のようにして、カード読取装置選択部２６は、カード枚数判断部２４により支払に使用可能なカード枚数が複数枚であると判断された場合、ドライバ１または他の搭乗者２等が支払ボタン１７を押下するという意思表示に基づいて複数のカード読取装置１０、１２等の各々を選択することができる。このため、例えば自動車５に複数の家族Ａ、Ｂ等が搭乗している場合、後部座席の搭乗者３（家族Ａ）のみが支払要求に応じることにより中部座席の搭乗者２（家族Ｂ）に支払分を奢ることが容易となる。
【００４２】
図８は、本発明の実施例２における車載情報処理方法またはプログラム中のカード読取装置選択ステップ（ステップＳ１４）の動作をフローチャートで示す。図８に示されるように、カード読取装置選択ステップ（ステップＳ１４）は、カード枚数判断ステップ（ステップＳ１２）で支払に使用可能なカード枚数が複数枚であると判断された場合、複数のカード読取装置１０等の各々に備えられた所定の表示器１５の点滅または点灯を開始させる（表示器点滅開始ステップ。ステップＳ３０）。表示器点滅開始ステップ（ステップＳ３０）で所定の表示器１５の点滅または点灯を開始させた後、複数のカード読取装置１０等の各々に備えられた支払ボタン１７からの入力があったか否かを判断し（ステップＳ３２）、入力があった場合はその入力が行なわれた支払ボタン１７を備えたカード読取装置１０等を選択する（選択ステップ。ステップＳ３４）。次に、所定の時間が経過したか否かを判断し（ステップＳ３６）、まだ経過していない場合はステップＳ３２へ戻って処理を繰り返す。この動作は搭乗者１等毎の意思表示までの時間差を考慮したものであり、所定の時間としては支払要求の種類に応じて任意の時間を設定することができる。例えば、自動車５が駐車場を利用した場合における駐車料金の支払要求では、所定の時間として３０秒程度の時間を設定してもよい。ステップＳ３２でいずれの支払ボタン１７からも入力がなかったと判断された場合も同様にステップＳ３６へ進み、所定の時間が経過したか否かを判断し、まだ経過していない場合はステップＳ３２へ戻って処理を繰り返す。ステップＳ３６で所定の時間が経過したと判断された場合、表示器点滅開始ステップＳ３０で点滅又は点灯を開始された複数のカード読取装置１０等の各所定の表示器１５の点滅又は点灯を終了させる（表示器点滅終了ステップ。ステップＳ３８）。所定の時間内にいずれの支払ボタン１７からも入力がなかった場合、所定のカード読取装置（例えばドライバ１用に設定されたカード読取装置１０）をデフォルトのカード読取装置として選択することができる。
【００４３】
以上より、本発明の実施例２によれば、カード読取装置選択部２６の表示器点滅開始部２１はカード枚数判断部２４により支払に使用可能なカード枚数が複数枚であると判断された場合、複数のカード読取装置１０、１２等の各々に備えられた所定の表示器１５の点滅または点灯を開始させる。所定の表示器１５の点滅または点灯の開始によって、ドライバ１または他の搭乗者２等は、各自用に設置されたカード読取装置１０等のＩＣカードが支払要求に対して用いられる候補になっていることを知ることができる。表示器点滅開始部２１により所定の表示器１５の点滅または点灯を開始させた後、選択部２３は複数のカード読取装置１０等の各々に備えられた支払ボタン１７からの入力があった場合、この入力が行なわれた支払ボタン１７を備えたカード読取装置１０等を選択する。表示器点滅終了部２５は、表示器点滅開始部２１により点滅又は点灯を開始された複数のカード読取装置１０等の各所定の表示器１５の点滅又は点灯を終了させる。以上のようにして、カード読取装置選択部２６は、カード枚数判断部２４により支払に使用可能なカード枚数が複数枚であると判断された場合、ドライバ１または他の搭乗者２等が支払ボタン１７を押下するという意思表示に基づいて複数のカード読取装置１０、１２等の各々を選択することができる。
【実施例３】
【００４４】
図９は、上述した各実施例を実現するための本発明のコンピュータ・プログラムを実行する車載情報処理装置２０のコンピュータの内部回路４０を示すブロック図である。図９に示されるように、ＣＰＵ４１、ＲＯＭ４２、ＲＡＭ４３、画像制御部４６、コントローラ４７、入力制御部５０および外部インタフェース（Ｉ／Ｆ）部５２はバス５４に接続されている。図９において、上述の本発明のコンピュータ・プログラムは、ＲＯＭ４２、ディスク４８ａまたはＣＤ−ＲＯＭ４８ｎ等の記録媒体（脱着可能な記録媒体を含む）に記録されている。本発明のコンピュータ・プログラムは、ＲＯＭ４２からバス５４を介し、またはディスク４８ａ若しくはＣＤ−ＲＯＭ４８ｎ等の記録媒体からコントローラ４７を経由してバス５４を介しＲＡＭ４３へロードされる。入力制御部５０は移動ボタン３８、選択ボタン３９等と接続され入力制御等を行う。画像メモリであるＶＲＡＭ４５は、車載情報処理装置２０のディスプレイ等の表示装置３１の少なくとも一画面分のデータ容量に相当する容量を有しており、画像制御部４６はＶＲＡＭ４５のデータを画像データへ変換して表示装置３１へ送出する機能を有している。外部Ｉ／Ｆ部５２は、本コンピュータがカード読取装置１０等、アンテナ７、選択装置３０等の外部と通信する際の入出力インタフェース機能を有する。
【００４５】
ＣＰＵ４１が上述の本発明のコンピュータ・プログラムを実行することにより、本発明の目的を達成することができる。当該コンピュータ・プログラムは上述のようにＣＤ−ＲＯＭ４８ｎ等の記録媒体の形態でコンピュータＣＰＵ４１に供給することができ、当該コンピュータ・プログラムを記録したＣＤ−ＲＯＭ４８ｎ等の記録媒体も同様に本発明を構成することになる。当該コンピュータ・プログラムを記録した記録媒体としては上述された記録媒体の他に、例えばメモリ・カード、メモリ・スティック、ＤＶＤ、光ディスク、ＦＤ等を用いることができる。
【産業上の利用可能性】
【００４６】
本発明の活用例として、ＥＴＣを利用する場合における通行料金の支払要求、自動車５が駐車場を利用した場合における駐車料金の支払要求等、ドライブスルー等で商品を注文した場合における商品代金の支払要求等の、既に提供されたサービスに対する事後の決済要求に適用することができる。他にも提供されるサービスに対する事前の決済要求、例えば、車載情報処理装置２０を介してインターネットに無線ＬＡＮでアクセスする際に、事前にアカウントを入力して決済を行う場合等に適用することができる。
【図面の簡単な説明】
【００４７】
【図１】本発明の実施例１における車載情報処理装置２０が自動車５に搭載された状態を示す図である。
【図２】車載情報処理装置２０の機能を示すブロック図である。
【図３】本発明の実施例１における選択装置３０を示す図である。
【図４】発明の実施例１におけるカード読取装置１０等を示す図である。
【図５】本発明の車載情報処理方法またはプログラムの動作を示すフローチャートでる。
【図６】本発明の実施例２におけるカード読取装置選択部２６の機能を示すブロック図である。
【図７】本発明の実施例２におけるカード読取装置１０等を示す図である。
【図８】本発明の実施例２における車載情報処理方法またはプログラム中のカード読取装置選択ステップ（ステップＳ１４）の動作を示すフローチャートである。
【図９】本発明のコンピュータ・プログラムを実行するコンピュータの内部回路４０を示すブロック図である。
【符号の説明】
【００４８】
１  ドライバ、  ２  中部座席の搭乗者、  ３  後部座席の搭乗者、  ５  自動車、  ７  アンテナ、  １０，１２，１４  カード読取装置、  １１  ＩＣカード挿入口、  １３  読取り表示器、  １５  表示器、  １７  支払ボタン、  ２０  車載情報処理装置、  ２１  表示器点滅開始部、  ２２  支払要求受信部、  ２３  選択部、  ２４    カード枚数判断部、  ２５  表示器点滅終了部、  ２６  カード読取装置選択部、２８    識別子処理部、  ２９  カード読取装置表示部、  ３０  選択装置、  ３１  表示装置、  ３２，３４，３６  カード読取装置を示すアイコン等の表示、  ３８  移動ボタン、  ３９  選択ボタン、  ４０  内部回路、  ４１  ＣＰＵ、  ４２  ＲＯＭ、  ４３  ＲＡＭ、  ４５  ＶＲＡＭ、  ４６  画像制御部、  ４７  コントローラ、  ４８ａ  ディスク、  ４８ｎ  ＣＤ−ＲＯＭ、  ５０  入力制御部、  ５２  外部Ｉ／Ｆ部、  ５４  バス。
【図１】
2005275598.tif 000003
【図２】
2005275598.tif 000004
【図３】
2005275598.tif 000005
【図４】
2005275598.tif 000006
【図５】
2005275598.tif 000007
【図６】
2005275598.tif 000008
【図７】
2005275598.tif 000009
【図８】
2005275598.tif 000010
【図９】
2005275598.tif 000011